(57)【要約】【課題】論理的に接続中である電子機器を充電するインターフェース規格で複数の電子機器を接続する際、論理的に接続していない電子機器についても充電を可能とする電子機器及び電力制御方法を提供することを目的とする。【解決手段】映像を表示するＳＩＮＫ機器であるＴＶ１と、映像を再生するＳＯＵＲＣＥ機器である携帯端末２０及びデジタルカメラ３０とが、それぞれケーブル４０を介して物理的に接続されている。ケーブル４０が準拠しているインターフェース規格では、論理的に接続すると映像及び音声の少なくとも一方に対応した信号の送受信と並行して電力供給を行う。またこのインターフェースでは、ＳＩＮＫ機器に対して１台のＳＯＵＲＣＥ機器のみを論理的に接続することを規定している。ＴＶ１と携帯端末２０とが論理的に接続を確立中に、ＴＶ１は携帯端末２０だけでなく、物理的に接続されているデジタルカメラ３０に対しても電力供給を行う。【選択図】    図３
2011229110.tif 000002
【特許請求の範囲】
【請求項１】
映像及び音声の少なくとも一方に対応したデータ信号を受信するデータラインと、電力供給が可能な電源ラインとを有する第１及び第２のポートと、
第１の電子機器が前記第１のポートへ物理接続されると、前記第１のポートの前記データラインを用いて前記第１の電子機器から前記データ信号を受信すると共に、前記第１のポートの前記電源ラインを用いて前記第１の電子機器へ電力を供給し、
前記第１のポートを介して前記第１の電子機器と接続が確立された状態で、第２の電子機器が前記第２のポートへ物理接続された時に、前記第２のポートの前記データラインを用いた前記データ信号の受信を行わずに、前記第２のポートの前記電力ラインを用いて前記第２の電子機器へ電力を供給する制御手段と
を備える電子機器。
【請求項２】
前記第１のポートを介して前記第１の電子機器と接続が確立された状態で、制御信号を送受信可能な制御ラインを用いて、前記第１の電子機器との間で制御信号を送受信する請求項１に記載の電子機器。
【請求項３】
前記第１及び第２の電子機器のそれぞれについて、前記電源ラインを用いて電力供給を行うか否かを設定可能である請求項１に記載の電子機器。
【請求項４】
映像及び音声の少なくとも一方に対応したデータ信号を受信するデータラインと、電力供給が可能な電源ラインとを有する第１及び第２のポートを介して通信を行い、
第１の電子機器が前記第１のポートへ物理接続された後、前記第１のポートの前記データを用いて前記第１の電子機器から前記データ信号を受信し、
前記第１のポートの前記電源ラインを介して前記第１の電子機器へ電力を供給し、
前記第１のポートを介して前記第１の電子機器と接続が確立された状態で、第２の電子機器が前記第２のポートへ物理接続された時に、前記第２のポートの前記データラインを用いた前記データ信号の受信を行わずに、前記第２のポートの前記電源ラインを用いて前記第２の電子機器へ電力を供給する電力制御方法。
【請求項５】
前記第１のポートを介して前記第１の電子機器と接続が確立された状態で、制御信号を送受信可能な制御ラインを用いて、前記第１の電子機器との間で制御信号を送受信する請求項４に記載の電力制御方法。
【請求項６】
前記第１及び第２の電子機器のそれぞれについて、前記電源ラインを用いて電力供給を行うか否かを設定可能である請求項４に記載の電力制御方法。
【発明の詳細な説明】
【技術分野】
【０００１】
この発明は、電子機器及び電力制御方法に関する。
【背景技術】
【０００２】
近年、ＨＤＭＩ（High-Definition Multimedia Interface）等の双方向インターフェースを介して、複数のオーディオ・ビジュアル（ＡＶ）機器を接続することが行われている。例えば、デジタルビデオレコーダ等により再生されたコンテンツを、双方向インターフェースを介してディスプレイ機器に出力するコンテンツ再生方法が既に実用化されている。更に、双方向インターフェースの中には、接続した機器間で動作を連動して制御を行うものがある（例えば、特許文献１参照）。
【先行技術文献】
【特許文献】
【０００３】
【特許文献１】特開２００３−０８７６７１号公報
【発明の概要】
【発明が解決しようとする課題】
【０００４】
ＡＶ機器を接続するインターフェース規格の中には、映像や音声に対応した信号の伝送と並行して、映像を表示するＳＩＮＫ機器から映像を再生するＳＯＵＲＣＥ機器に対して電力を供給する規格がある。このような規格に準拠したインターフェースを用いると、ＳＩＮＫ機器は映像や音声に対応した信号を出力するために論理的に接続しているＳＯＵＲＣＥ機器を充電することができる。
【０００５】
しかしながら、論理接続可能なＳＯＵＲＣＥ機器の台数を規定しているインターフェース規格の場合には、ケーブルを介して物理的に接続していたとしても、論理的に接続されていなければ、ＳＯＵＲＣＥ機器が充電されないことがあった。近年、ＡＶ機器の高機能化に伴って電力消費量が増大しており、特に二次電池で駆動する携帯型のＡＶ機器においては充電の重要性は一層高まっている。従って、論理接続可能なＳＯＵＲＣＥ機器の台数に関わらず、物理的に接続しているＳＯＵＲＣＥ機器を充電することが求められる。
【０００６】
本発明は上述した点に鑑みてなされたものであり、論理的な接続の有無に関わらず充電することが可能な電子機器及び電力制御方法を提供することを目的とする。
【課題を解決するための手段】
【０００７】
上記目的を達成するために、本発明に係る電子機器は、映像及び音声の少なくとも一方に対応したデータ信号を受信するデータラインと、電力供給が可能な電源ラインとを有する第１及び第２のポートと；第１の電子機器が前記第１のポートへ物理接続されると、前記第１のポートの前記データラインを用いて前記第１の電子機器から前記データ信号を受信すると共に、前記第１のポートの前記電源ラインを用いて前記第１の電子機器へ電力を供給し、前記第１のポートを介して前記第１の電子機器と接続が確立された状態で、第２の電子機器が前記第２のポートへ物理接続された時に、前記第２のポートの前記データラインを用いた前記データ信号の受信を行わずに、前記第２のポートの前記電源ラインを用いて前記第２の電子機器へ電力を供給する制御手段とを備える。
【０００８】
また、本発明に係る電源制御方法は、映像及び音声の少なくとも一方に対応したデータ信号を受信するデータラインと、電力供給が可能な電源ラインとを有する第１及び第２のポートを介して通信を行い、第１の電子機器が前記第１のポートへ物理接続された後、前記第１のポートの前記データラインを用いて前記第１の電子機器から前記データ信号を受信し、前記第１のポートの前記電源ラインを用いて前記第１の電子機器へ電力を供給し、前記第１のポートを介して前記第１の電子機器と接続が確立された状態で、第２の電子機器が前記第２のポートへ物理接続された時に、前記第２のポートの前記データラインを用いた前記データ信号の受信を行わずに、前記第２のポートの前記電源ラインを用いて前記第２の電子機器へ電力を供給する。
【発明の効果】
【０００９】
本発明によれば、論理的な接続の有無に関わらず充電することが可能な電子機器及び電力制御方法を提供することが実現する。
【図面の簡単な説明】
【００１０】
【図１】本実施の形態における信号伝送システムの構成図。
【図２】本実施の形態における信号伝送システムのブロック図。
【図３】本実施の形態における電力制御のシークエンス図。
【図４】本実施の形態における外部入力先画面の例。
【図５】本実施の形態における電力制御手順を示すフローチャート。
【発明を実施するための形態】
【００１１】
以下に、図１〜図５を参照して本発明の実施の形態について説明する。図１は本実施の形態における映像及び音声の少なくとも一方に対応した信号を伝送する信号伝送システムである。本実施の形態における信号伝送システムは、ＴＶ１と、携帯端末２０と、デジタルカメラ３０とから構成される。ＴＶ１と携帯端末２０とはケーブル４０Ａで、ＴＶ１とデジタルカメラ３０とはケーブル４０Ｂでそれぞれ接続される。
【００１２】
ＴＶ１は、映像及び音声の少なくとも一方に対応した信号を受信し、映像を表示するＳＩＮＫ機器である。携帯端末２０及びデジタルカメラ３０は、映像及び音声の少なくとも一方に対応した信号を再生しＳＩＮＫ機器へ出力するＳＯＵＲＣＥ機器である。ケーブル４０は、ＳＩＮＫ機器に論理接続可能なＳＯＵＲＣＥ機器を、１台と規定するインターフェース規格に準拠するものである。例えば、このようなインターフェース規格にはＭＨＬ（Mobile High-Definition Link）がある。以下、ＴＶ１とＳＯＵＲＣＥ機器である携帯端末２０及びデジタルカメラ３０とは、ＭＨＬ規格に準拠したケーブルで接続されているものとして説明を行う。
【００１３】
図１に示すように、ＴＶ１が携帯端末２０と論理接続を確立している場合、ＴＶ１はデジタルカメラ３０とは論理接続を確立することは出来ない。従来、論理接続している機器にのみ電力供給を行っていたため、ＴＶ１から電力供給されるＳＯＵＲＣＥ機器は携帯端末２０のみであった。本実施の形態においては、論理的には接続していないが物理的にケーブル４０Ｂを介して接続されているデジタルカメラ３０についても電力供給を可能とする。以下に、本実施の形態における２台目のＳＯＵＲＣＥ機器に対する電力供給について説明する。
【００１４】
図２は、本実施の形態における信号伝送システムのブロック図である。まずＳＩＮＫ機器であるＴＶ１の機能について説明する。ＴＶ１は、モニタ２と、ビデオプロセッサ３と、スピーカ４と、D／A（Digital／Analog）変換部５と、ＴＭＤＳ（Transmission  Minimized Differential Signaling）受信部６と、セレクタ７と、マイコン８と、操作入力部９と、電力供給部１０と、抵抗値検出部１１と、ポート１２とを有する。
【００１５】
モニタ２は、ビデオプロセッサ３で所定の映像処理が施された映像信号を表示する。スピーカ４はD／A変換部５で所定の音声処理が施された音声信号を出力する。
【００１６】
ＴＭＤＳ受信部６は、セレクタ７から入力される映像及び音声の少なくとも一方に対応した信号を受信し、映像信号をビデオプロセッサ３へ、音声信号をD／A変換部５へ入力する。
【００１７】
セレクタ７は、設定されたポート１２から受信した映像及び音声の少なくとも一方に対応した信号をＴＭＤＳ受信部６へ、制御信号をマイコン８へそれぞれ入力する。
【００１８】
マイコン８は、ＴＶ１全体の動作の制御を行う。ＴＶ１に備えられる操作入力部９や、ポート１２を介して論理接続を確立中のＳＯＵＲＣＥ機器から入力される操作信号に応じて制御を実行する。本実施の形態においてマイコン８は、論理接続するＳＯＵＲＣＥ機器を選択し、電力供給を行うＳＯＵＲＣＥ機器を判別する。
【００１９】
操作入力部９はＴＶ１に備えられるリモコン等の操作に応じた制御信号をマイコン８に入力する。
【００２０】
電力供給部１０は、ＴＶ１の各部及びポート１２で物理的に接続されているＳＯＵＲＣＥ機器へ電力を供給する。常時、電力供給部１０からポート１２に対して一定の電圧を出力しており、ポート１２にケーブル４０を介してＳＯＵＲＣＥ機器が接続されると電流が流れ抵抗値が検出される。抵抗値検出部１１で検出した抵抗値はマイコン８に入力される。マイコン８は、ＳＩＮＫ機器とＳＯＵＲＣＥ機器とがＭＨＬにより接続された場合の抵抗値をメモリに記憶しており、検出された抵抗値と記憶している抵抗値とを比較して、物理的に接続されたＳＯＵＲＣＥ機器がＭＨＬのインターフェースを介して接続されたか否かを判別する。マイコン８は、ＭＨＬに準拠したＳＯＵＲＣＥ機器がポート１２に接続されていると判別した場合、電力供給を継続するように電力供給部１０を制御する。
【００２１】
入力ポート１２は、他の電子機器と接続するためのインターフェースであり、映像及び音声の少なくとも一方に対応した信号を伝送するＴＭＤＳ（２つ）と、制御信号を伝送するＣＢＵＳ（１つ）と、電源ライン用のピン（１つ）と、グランド（接地）用（図示せず）のピンとの５つのピンを有している。この入力ポート１２の形状は、例えばマイクロＵＳＢポートと共通にすることができるため、マイクロＵＳＢポートとＭＨＬポートとの併用が可能である。
【００２２】
ＴＶ１には、複数の入力ポート１２が設けられ、入力ポート１２Ａと入力ポート１２Ｂと称する。
【００２３】
次に、ＳＯＵＲＣＥ機器である携帯端末２０及びデジタルカメラ３０の機能について説明する。携帯端末２０は、出力ポート２１と、制御部２５と、再生部２６と、電源部２７と、操作入力部２８と、記憶部２９とから構成される。また、デジタルカメラ３０は、出力ポート３１と、制御部３５と、再生部３６と、電源部３７と、操作入力部３８と、記憶部３９とから構成される。本実施の形態においては、携帯端末２０及びデジタルカメラ３０のＳＯＵＲＣＥ機器に共通するブロック、即ちＳＯＵＲＣＥ機器として必要な機能のみを説明し、その他の機能については説明を省略する。また、ＳＯＵＲＣＥ機器に共通するブロックについて携帯端末２０とデジタルカメラ３０とは共通であるので、以下携帯端末２０を例に説明する。
【００２４】
出力ポート２１は、映像、音声、補助情報を送信するＴＭＤＳ送信部２２と、制御信号の送受信を行う制御信号送受信部２３と、物理的接続を検出し電力供給を行う電源信号出力部２４とを有する。
【００２５】
制御部２５は、携帯端末２０全体の動作の制御を行う。
【００２６】
再生部２６は、記憶部２９に記憶されているコンテンツデータの再生を行う。
【００２７】
電源部２７は、携帯端末２０の各部に電力を供給する。また、ＴＶ１からの電力供給によって充電される。
【００２８】
操作入力部２８は、携帯端末２０に設けられるボタン等であり、制御部２５に制御信号を入力する。
【００２９】
記憶部２９は、携帯端末２０における記憶装置であり、撮影した写真や動画といったコンテンツデータを記憶する。
【００３０】
次に、図３を用いて、本実施の形態における電力制御の流れについて説明する。図３は、本実施の形態における電力制御のシークエンス図である。
【００３１】
まず、ポート１２Ａにケーブル４０Ａを介して携帯端末２０を物理的に接続する（ステップＳ１）。すると、ポート１２Ａに供給されていた電圧がケーブル４０Ａを介して携帯端末２０に出力され、電流が流れる（ステップＳ２）。抵抗値検出部１１は、このポート１２Ａから流れる電流及び出力電圧に基づき、携帯端末２０の抵抗値を検出する（ステップＳ３）。マイコン８は、抵抗値検出部１１で検出した抵抗値と記憶していた所定の抵抗値（ＭＨＬで規定された抵抗値）と比較し、所定の抵抗値と一致する場合、携帯端末２０への電力供給を継続する（ステップＳ４）。
【００３２】
次に、マイコン８は、抵抗値検出部１１で検出した抵抗値からポート１２に接続されているＳＯＵＲＣＥ機器が一台であると判別すると、接続されている携帯端末２０との間で認証処理を実行する（ステップＳ５）。認証処理は、ＴＶ１及び携帯端末２０に格納されているDevice Category情報を用いて行う。
【００３３】
認証が成功すると、マイコン８は、携帯端末２０との間で論理的な接続を確立する（ステップS６）。ここで論理的な接続が確立された状態とは、ＴＭＤＳラインと、ＣＢＵＳラインと、電源ラインとでＴＶ１と携帯端末２０との間で、信号伝送が可能な状態である。論理的な接続が確立された状態では、ＴＶ１は携帯端末２０で再生される映像信号をＴＭＤＳラインを介して受信してモニタ２に表示したり、ＣＢＵＳラインを用いて制御信号を通信することにより、ＴＶ１と携帯端末２０との間で動作を連動させたりすることが可能である。また、ＣＢＵＳラインで送受信する制御信号を介して携帯端末２０の充電状態を参照することができ、携帯端末２０が満充電状態であると判別すれば電力供給を停止することができる。
【００３４】
次に、マイコン８は、操作入力部９若しくは携帯電話２０側からコンテンツの再生指示を受信したとする（ステップＳ７）。すると、ＴＭＤＳ送信部２２から再生部２６で再生された映像及び音声の少なくとも一方に対応した信号の送信が開始される（ステップＳ８）。送信された映像及び音声の少なくとも一方に対応した信号はＴＭＤＳ受信部６で受信され、モニタ２及びスピーカ３で表示及び音声出力される（ステップＳ９）。なお、ステップＳ８及びＳ９における映像音声信号は、映像及び音声の少なくとも一方に対応した信号を意味している。
【００３５】
次に、ポート１２Ｂにケーブル４０Ｂを介してデジタルカメラ３０を物理的に接続されたとする（ステップＳ１０）。すると、ポート１２Ｂに供給されていた電圧がケーブル４０Ｂを介してデジタルカメラ３０に出力され、電源ライン上を電流が流れることにより、デジタルカメラ３０への電力供給が開始される（ステップＳ１１）。抵抗値検出部１１は、デジタルカメラ３０に電力が供給されると、出力電圧及び流れる電流値に基づき、抵抗値を検出する（ステップＳ１２）。マイコン８は、抵抗値検出部１１で検出した抵抗値と記憶していた所定の抵抗値（ＭＨＬ規定の抵抗値）とを比較し、所定の抵抗値と一致すると判別した場合、デジタルカメラ３０への電力供給を継続する（ステップＳ１４）。マイコン８は、既に携帯端末２０との間で論理的な接続を確立しているため、デジタルカメラ３０との間では認証処理は行わず、論理的な接続は確立しない。すなわち、携帯電話２０との間の論理的な接続を切断しない限り、ＴＶ１はＴＭＤＳライン及びＣＢＵＳラインを用いた通信をデジタルカメラ３０との間では行わない。以上で本実施の形態における電力制御の手順は終了する。
【００３６】
尚、上述の説明においては、ケーブル４０を介して接続されたＳＯＵＲＣＥ機器はすべて電力供給を行うものとしたが、図４に示すようなユーザインターフェースによって電力供給するか否かをユーザ設定可能にしても良い。設定情報は、マイコン８によって管理され、メモリに記憶される。図４は、本実施の形態における外部入力先画面の例である。
【００３７】
外部入力先画面１００は、外部入力先１０１と、外部入力先としてのＳＯＵＲＣＥ機器の充電を行うことを選択するボタン１０２と、ＳＯＵＲＣＥ機器の充電を行わないことを選択するボタン１０３とを示す。
【００３８】
外部入力先１０１とは、ＴＶ１に設けられる入力ポート１２に対応する。本実施の形態においては、外部入力１として入力ポート１２Ａ、外部入力２として入力ポート１２Ｂを示す。外部入力先１０１を選択することで、ユーザによる操作に応じて何れかを外部入力先、即ち映像を再生するＳＯＵＲＣＥ機器として選択する。更に、入力ポート１２に接続されているＳＯＵＲＣＥ機器を充電するか否かをそれぞれ設定可能である。
【００３９】
次に、ＴＶ１が実行する電力制御手順について説明する。図５は、本実施の形態における電力制御手順を示すフローチャートである。
【００４０】
まず、電力供給部１０は各入力ポート１２に電圧を出力する（ステップＳ１０１）。
【００４１】
次に、マイコン８は、出力電圧及び電源ラインを流れる電流に基づき、抵抗値検出部１１で検出される抵抗値が、予め記憶していた所定の抵抗値（ＭＨＬ規定の抵抗値）と一致するか否かを判別する（ステップＳ１０２）。この結果、所定の抵抗値と一致しないと判別した場合（ステップＳ１０２のＮＯ）、この比較を行った抵抗値を検出した入力ポート１２に対する電力供給を停止する（ステップＳ１０３）。
【００４２】
一方、所定の抵抗値と一致したと判別した場合（ステップＳ１０２のＹＥＳ）、次に、マイコン８は、所定の抵抗値を検出したポート１２に接続されるＳＯＵＲＣＥ機器について充電を行う旨が設定されているか否かを判別する（ステップＳ１０４）。この結果、当該ポートに充電を行う旨の設定されていない場合、ステップＳ１０３に進む。一方、当該ポートに充電を行う旨の設定されている場合（ステップＳ１０４のＹＥＳ）、電力供給を継続する（ステップＳ１０５）。以上で、本実施の形態における電力制御手順を終了する。
【００４３】
以上のように構成される本実施の形態によれば、論理的に接続中である電子機器を充電するインターフェース規格で複数の電子機器を接続する際、論理的に接続していない電子機器についても充電を可能となる。即ち、各入力ポート１２の電源ラインで検出する抵抗値に基づいて物理接続を判別し、所定のインターフェースを介してＳＯＵＲＣＥ機器が接続された場合には、論理的な接続を確立しなくても電力供給を行うことができる。従って、論理的な接続可能台数が制限されているインターフェース規格であっても、物理的に接続している複数のＳＯＵＲＣＥ機器について充電ができるようになり、ユーザビリティの向上につながる。
【００４４】
尚、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００４５】
１…ＴＶ、２…モニタ、３…ビデオプロセッサ、４…スピーカ、５…Ｄ／Ａ、６…ＴＭＤＳ受信部、７…セレクタ、８…マイコン、９…操作入力部、１０…電源部、１１…抵抗値検出部、１２…入力ポート、２０…携帯端末、２１…出力ポート、２２…ＴＭＤＳ送信部、２３…制御信号送受信部、２４…電源信号出力部、２５…制御部、２６…再生部、２７…電源部、２８…操作入力部、２９…記憶部、３０…デジタルカメラ、３１…出力ポート、３２…ＴＭＤＳ送信部、３３…制御信号送受信部、３４…電源信号出力部、３５…制御部、３６…再生部、３７…電源部、３８…操作入力部、３９…記憶部、４０…ケーブル、１００…外部入力先画面、１０１…外部入力先、１０２〜１０３…選択ボタン。
【図１】
2011229110.tif 000003
【図２】
2011229110.tif 000004
【図３】
2011229110.tif 000005
【図４】
2011229110.tif 000006
【図５】
2011229110.tif 000007